(57)【特許請求の範囲】
【請求項１】
縦送カム軸の動作に連動して作動するワンウエイクラッチを介して搬送チェンの搬送軸を駆動し、苗トレイを縦送りする如く成した移植機において、ワンウエイクラッチの入力側に、ワンウエイクラッチに入力する部材に連動連結され、搬送軸を強制回動させる縦送操作体を備えていることを特徴とする移植機。
【発明の詳細な説明】
【０００１】
【産業上の利用分野】
本発明は、野菜などのポット苗を圃場に移植する移植機に関する。
【０００２】
【従来の技術】
従来、この種移植機は、ガイドレールをもった植付フレームと、前記ガイドレール間に横方向に往復動可能に支持され、縦方向に立設された苗載台と、この苗載台に支持され、多数のポット苗を収容した苗トレイから１株分のポット苗を取出す苗取爪と、該苗取爪に連動して所定の植付軌跡を描きながら上下往復動され、その上部の苗受取位置で前記苗取爪から放出するポット苗を受取り、下部の植付位置でポット苗を圃場に植付ける２つ割とされた植付カップと、駆動源からの回転動力を前記苗取爪及び植付爪に伝える植付駆動機構と、苗載台を前記ガイドレールに沿って横方向に往復動させる往復動機構と、苗載台が往復動方向の終端位置に移動したとき、該苗載台に支持した苗トレイを下方に向かって１ピッチ縦送りする縦送機構とを設けている。
【０００３】
また、この縦送機構は、両端側に縦送カムをもった横長の縦送カム軸と、苗載台が往復動終端位置に移動したとき前記縦送カムを叩打して前記縦送カム軸を角回転させる制御軸と、前記縦送カム軸の動作に連動して作動する伝動杆及びワンウエイクラッチを介して駆動される搬送軸と、この搬送軸と中間軸との間に掛設され、前記苗トレイにおけるコップ状セル間に介入して苗トレイを縦送りする搬送ピンをもった搬送チェンとを備えている。また、外周に多数の送り角度規定カム部を周設し、前記搬送軸を所定角度づつ回動させる縦送り固定用カムと、この縦送り固定用カムの送り角度規定カム部に係脱可能なロック爪をもったロック解除レバーと、前記搬送軸を手動回転させる手動ノブとを設けている。
【０００４】
そして、最初の苗トレイを苗載台の苗取出位置にセットするとき、搬送軸の一端側に配置した前記ロック解除レバーを揺動操作して、ロック爪の送り角度規定カム部との係合を離脱し、この離脱状態を維持して搬送軸端に設けた手動ノブを回転操作して搬送軸を回転させ、搬送チェンを移動させて、苗トレイを苗載台に対し縦送りすることにより該苗トレイを苗取出位置にセットするように構成されている。
【０００５】
【発明が解決しようとする課題】
ところが、従来の移植機では、最初の苗トレイを苗載台の苗取出位置にセットするとき、両手を使ってロック解除レバーと搬送軸端の操作ノブとを操作し、搬送軸を回転させて苗トレイを縦送りする必要があるため、この状態で苗トレイをセットするのが非常に困難であり、セット作業性が悪かったのである。
【０００６】
本発明は、搬送軸を回転させて苗トレイを苗載台の苗取出位置にセットする作業を簡易にできる移植機を提供することをその主目的とする。
【０００７】
【課題を解決するための手段】
本発明は、以上の目的を達成するため、請求項１記載の発明は、図１に示すように、縦送カム軸の動作に連動して作動するワンウエイクラッチを介して搬送チェンの搬送軸を駆動し、苗トレイを縦送りする如く成した移植機において、ワンウエイクラッチの入力側に、ワンウエイクラッチに入力する部材に連動連結され、搬送軸を強制回動させる縦送操作体を備えていることを特徴とする。
【０００８】
【作用】
請求項１記載の発明では、図１に示すように、苗トレイを苗載台にセットするとき、搬送軸の縦送カム軸との連動関係を断つことなく、一つの縦送操作体を操作するだけで、縦送カム軸を強制回転させることができると共にワンウエイクラッチを介して搬送軸を回転できるのであり、この搬送軸の回転により苗トレイを苗載台に対し縦送りできるから、この搬送軸を回転させて苗トレイを苗載台にセットする作業を簡易にできる。
【０００９】
【実施例】
図５〜７は、移植機として、走行機体１であるトラクタの後方側に、ユニット形とされた左右一対の植付ユニット３，３を連結して成る２条植走行タイプのものを示している。前記トラクタは、既知のものであって、機体１の前方上部にエンジンを搭載し、該エンジンの後方側に、ＰＴＯ軸１０をもった走行ミッションケース１１を備え、この走行ミッションケース１１の両側に一対の左右駆動車輪１２を設けると共に、走行ミッションケース１１の上方に油圧型昇降シリンダ１３と運転席１４とを設ける一方、機体１の後部に、前記昇降シリンダ１３により上下に揺動される左右一対のリフトアーム１５と、上下動可能な左右一対のロワリンク１６と、油圧型リンクシリンダから成る一つのトップリンク１７とを設けている。
【００１０】
そして、各リフトアーム１５に連結されたリフトリンク１８の先端を各ロワリンク１６の中間部に枢着すると共に、各ロワリンク１６の先端部間に、左右方向に延びる四角筒形のツールバー２０と、後方に延びる略コ字形のヒッチフレーム２１とを取付け、更に、上方に延びる一対のリンクフレーム２２を枢着し、このリンクフレーム２２の上端部を、前記トップリンク１７の先端部に枢着すると共に、各リンクフレーム２２の上端間に、左右方向に延びるガイドレール２３を取付けている。
【００１１】
また、前記ヒッチフレーム２１の端部に、自在軸継手を介して前記ＰＴＯ軸１０に連動するギヤを内装したＴ形ギヤケース２４を取付け、このギヤケース２４に、左右方向に延びるＰＴＯ横軸２５を回転自由に支持すると共に、前記ツールバー２０の左右両端部に一対の軸受筒２６，２６をもった摺動体２７，２７をスライド自由に支持し、これら摺動体２７，２７に前記各植付ユニット３，３のユニットフレーム３０，３０を一対のヒッチ板３１，３１を介して支持すると共に、各軸受筒２６，２６に前記ＰＴＯ横軸２５の両端部を回転自由に支持している。
【００１２】
また、各植付ユニット３，３は、上下部位にガイドレール３０ａ，３０ｂをもったユニットフレーム３０，３０と、前記ガイドレール３０ａ，３０ｂ間に前後往復動可能に支持され、ほゞ垂直状に立設された左右対面形の苗載台３２，３２と、この苗載台３２，３２の上に支持され、多数のポット苗を収容した苗トレイＴから１株分のポット苗を取出す箸形の苗取爪３３，３３と、該苗取爪３３，３３に連動して所定の植付軌跡を描きながら上下往復動され、その上部の苗受取位置で前記苗取爪３３，３３から放出するポット苗を受取り、下部の植付位置でポット苗を圃場に植付ける２つ割とされた植付カップ３４，３４と、前記ＰＴＯ横軸２５からの回転動力を前記苗取爪３３，３３及び植付カップ３４，３４に伝える一対の植付駆動機構３５，３５と、各苗載台３２，３２をガイドレール３０ａ，３０ｂに沿って前後方向に往復動させる往復動機構３６，３６と、苗載台３２，３２が往復動方向の終端位置に移動したとき、該苗載台３２，３２に支持した苗トレイＴを下方に向かって１ピッチ縦送りする縦送機構５，５とを設けている。
【００１３】
この縦送機構５，５は、図１〜３に示すように、両端側に径方向外方に突出する縦送カム５０ａ，５０ａをもった横長の縦送カム軸５０，５０と、苗載台３２，３２が往復動終端位置に移動したとき前記縦送カム５０ａ，５０ａと係合する一対の叩打ローラ５１ａ，５１ａをもち、前記縦送カム軸５０，５０を角回転させる制御軸５１，５１と、前記縦送カム軸５０，５０の動作に連動して作動するワンウエイクラッチ５２，５２を介して駆動される搬送軸５３，５３と、この搬送軸５３，５３と中間軸５４，５４との間に掛設され、前記苗トレイＴにおけるコップ状セル間に介入して苗トレイＴを縦送りする多数の搬送ピン５５ａ・・をもった搬送チェン５５，５５とを備えており、前記縦送カム軸５０，５０に、前記ワンウエイクラッチ５２，５２を介して搬送軸５３，５３を強制回動させるレバー形状の縦送操作体７，７を設けている。尚、縦送カム軸５０，５０と搬送軸５３，５３及び中間軸５４，５４とは苗載台３２，３２に回転自由に支持し、制御軸５１，５１はユニットフレーム３０，３０に回転自由に支持して、この制御軸５１，５１を前記各植付駆動機構３５，３５に連動させており、また、縦送カム軸５０，５０とユニットフレーム３０，３０との間には、リターンばね５６，５６を設けて、縦送カム軸５０，５０を、縦送カム５０ａ，５０ａが前記叩打ローラ５１ａ，５１ａの回転軌跡内に位置可能となるように付勢している。
【００１４】
前記ワンウエイクラッチ５２，５２は、搬送軸５３，５３に遊嵌合する内筒５２０，５２０と該内筒５２０，５２０に套嵌する外筒５２１，５２１との間にローラ或いは伝動爪などの伝動体５２２，５２２を介在させたもので、外筒５２１，５２１には、連結片５７，５７を設け、この連結片５７，５７と前記縦送操作体７，７とを伝動杆５８，５８により連動連結している。また、内筒５２０，５２０には、外周に多数の送り角度規定カム部５９ａを周設し、かつ、側面に一対の係合孔５９ｂをもった縦送り固定用カム５９，５９を固定している。また、前記搬送軸５３，５３の一端部には、前記縦送り固定用カム５９，５９の係合孔５９ｂ，５９ｂに係合する係合突起６０ａ，６０ａをもち前記搬送軸５３，５３と一体回転可能で、かつ、軸方向に相対移動可能な空転ノブ６０，６０を支持し、この空転ノブ６０，６０をコイルバネ６１，６１で常時固定用カム５９，５９側に付勢している。また、前記送り角度規定カム部５９ａに係脱可能なロック爪６２，６２を前記各ユニットフレーム３０，３０に枢支すると共に、このロック爪６２，６２を前記送り角度規定カム部５９ａ側に常時付勢する押圧ばね６３，６３を設けている。
【００１５】
尚、前記縦送操作体７，７は、図５に示すように各苗載台３２，３２の後端側に配置して、両植付ユニット３，３とも、同じ場所で縦送操作体７，７を操作できるようにするのであるが、その他、各苗載台３２，３２の前端側に配置して運転席１４から操作できるようにしてもよいし、また、各苗載台３２，３２の後端側と前端側との両方に配置してもよい。
【００１６】
以上の構成において、苗載台３２，３２が往復動終端位置に移動したとき、つまり苗トレイＴの横一列のセルが空になったとき、縦送カム軸５０，５０の縦送カム５０ａ，５０ａが制御軸５１，５１の叩打ローラ５１ａ，５１ａと係合して、縦送カム軸５０，５０が角回転すると同時に、伝動杆５８，５８及びワンウエイクラッチ５２，５２と縦送り固定用カム５９，５９と空転ノブ６０，６０とを介して搬送軸５３，５３が一定角度回転する。そして、この搬送軸５３，５３と中間軸５４，５４との間に掛設した搬送チェン５５，５５を介して苗トレイＴを一セル分縦送りすることができるのである。尚、前記縦送り固定用カム５９，５９が図１の反時計方向に回転するとき、ロック爪６２，６２の送り角度規定カム部５９ａとの係合が離脱するのであり、また、前記搬送軸５３，５３が一定角度回転した後、前記ロック爪６２，６２が押圧ばね６３，６３の力で前記送り角度規定カム部５９ａと係合するのである。
【００１７】
また、最初の苗トレイＴを苗載台３２，３２の苗取出位置にセットするとき、縦送カム軸５０，５０に設けた縦送操作体７，７を図２の時計方向に所定量操作すると、縦送カム軸５０，５０が角回転すると同時に、伝動杆５８，５８及びワンウエイクラッチ５２，５２と縦送り固定用カム５９，５９と空転ノブ６０，６０とを介して搬送軸５３，５３が一定角度回転する。従って、縦送操作体７，７を操作する毎に搬送軸５３，５３を回転させることができ、搬送チェン５５，５５を介して苗トレイＴを縦送りすることができるから、苗トレイＴの苗載台３２，３２へのセットを簡易にできるのである。
【００１８】
また、苗載台３２，３２に支持している苗トレイＴを抜き出す場合は、空転ノブ６０，６０をコイルバネ６１，６１に抗して軸方向に移動させ、係合突起６０ａ，６０ａの係合孔５９ｂ，５９ｂとの係合を離脱した状態で空転ノブ６０，６０を回転操作することにより、搬送軸５３，５３を手動で正逆回転させることができ、前記苗トレイＴを簡易に抜き出すことができるのである。
【００１９】
また一方、前記各植付駆動機構３５，３５は、各ユニットフレーム３０，３０の前端部に固定された植付駆動ケース３７，３７を備え、この植付駆動ケース３７，３７における第１出力軸と前記苗取爪３３，３３との間に、該苗取爪３３，３３を苗トレイからの苗取位置と植付カップ３４，３４の真上側における放出位置との範囲で往復移動させる爪作動機構３８，３８を設け、第２出力軸と植付カップ３４，３４との間に、該植付カップ３４，３４をポット苗の苗受取位置と圃場内に突入される植付位置との範囲で所定の植付軌跡を描きながら上下移動させるカップ作動機構３９，３９を設けている。
【００２０】
そして、図５に示すように、前記往復動機構３６，３６の横送りケース３６ａ，３６ａを各ユニットフレーム３０，３０の前端側に配置すると共に、各爪作動機構３８，３８における各中間軸３８ａ，３８ａと各制御軸５１，５１との間、及び各制御軸５１，５１と前記各往復動機構３６，３６の各螺旋軸３６ｂ，３６ｂとの間にチェン伝動機構４０，４１を設けている。斯くすることにより、ギヤなどの駆動部品を内臓した植付駆動ケース３７，３７及びギヤなどの伝動部品を内臓した横送りケース３６ａ，３６ａ並びにチェン伝動機構４０，４１などの駆動系をユニットフレーム３０，３０の前方側に集中でき、植付ユニット３，３の重心を前記機体１に近付けることができるので、移植機全体の前後バランスを良好にできるのであり、また、前記中間軸３８ａ，３８ａをユニットフレーム３０，３０の前端部から後端部に亘って延ばす必要がないため、植付ユニット３，３をシンプルにできると共に、軽量にできるのである。
【００２１】
また、前記各ユニットフレーム３０，３０のうち、一方のユニットフレーム３０の前端部には、運転席１４から操作可能とした二つのユニットクラッチレバー４２，４２を支持したクラッチレバー台４３を取付け、また、前記機体１の運転席近傍には一つの植付クラッチレバー４４を設けている。
【００２２】
前記クラッチレバー台４３には、１本のアーム軸４５に、一つのクラッチアーム４６と、二つのレバーアーム４７，４７とを独立して揺動自由に支持すると共に、１本のレバー軸４８に二つのユニットクラッチレバー４２，４２を独立して回動自由に支持し、これらユニットクラッチレバー４２，４２の基端部に、前記各レバーアーム４７，４７の揺動方向一側面に当接するローラ４２ａをもった腕片４２ｂ，４２ｂを設け、各レバーアーム４７，４７の先端部を、係合突起４９ａ，４９ａをもったワイヤ掛設体４９，４９とユニットワイヤＷ１，Ｗ１とを介して前記各植付駆動機構３５，３５のクラッチ作動体に連結し、前記機体１の運転席１４から植付駆動ケース３７，３７内の各植付クラッチを独立して入切制御できるようにする一方、前記クラッチアーム４６の先端部を、前記植付クラッチレバー４４にメインワイヤＷ２を介して連動連結すると共に、このクラッチアーム４６の先端部を各レバーアーム４７，４７に設けた前記各ワイヤ掛設体４９，４９の係合突起４９ａ，４９ａに係合可能とし、運転席１４から一つの植付クラッチレバー４４を操作することにより両植付ユニット３，３の植付クラッチを同時に切制御でき、また、運転席１４から前記ユニットクラッチレバー４２，４２を操作することにより、両植付ユニット３，３の植付クラッチを独立して入切制御できるようにしている。斯くすることにより、植付ユニット３，３における１組のクラッチを、植付クラッチとユニットクラッチとに兼用することができ、構造を簡素化できるのである。尚、クラッチレバー台４３と各ユニットクラッチレバー４２，４２との間には、該クラッチレバー４２，４２をクラッチ切位置とクラッチ入位置との一方に選択的に付勢する不安定切換ばね５０，５０を介装している。
【００２３】
また、前記各ユニットフレーム３０，３０の上ガイドレール３０ａと下ガイドレール３０ｂとは、各ユニットフレーム３０，３０に一体に固定するのであって、図４に示すように上ガイドレール３０ａは、下向き開放の断面コ字形に形成し、各苗載台３２，３２の上端部に突設したガイド輪３２ａ，３２ａを係合させており、また、下ガイドレール３０ｂは、パイプから成り、図３のように各苗載台３２，３２の前後両側に設けた荷重受け輪３２ｂ，３２ｂと、中央部に設けた遊動輪３２ｃとをそれぞれ上下から係合させている。このように上ガイドレール３０ａと下ガイドレール３０ｂとを、各ユニットフレーム３０，３０に一体に固定することにより、組立て時における各苗載台３２，３２と苗取爪３３，３３との相対位置精度の狂いを少なくでき、苗取り性能を安定させることができる。
【００２４】
また、前記各ユニットフレーム３０，３０は、図１１に示すようにその後端部を連結体７０で着脱可能に連結してもよい。この実施例では、各ユニットフレーム３０，３０に４つの取付孔７１ａをもったブラケット７１を設けると共に、断面コ字形の連結体７０に、前記取付孔７１ａに対応するピッチで多数の取付孔７０ａを穿設し、左右４本の取付ねじにより両植付ユニット３，３間の間隔を調節可能に連結している。具体的には、左右の植付カップ３４，３４間の間隔が３０〜６５ｃｍまで５ｃｍ間隔で連結できるようにしている。斯くすることにより、各植付ユニット３，３の前部側間隔と、後部側間隔とを均等にできると共に、各植付ユニット３，３の前後側の対地高さを均等にできるのであり、更に、左右植付ユニット３，３の傾きなどを修正できると共に、これらユニット３，３の強度も高くできるのである。
【００２５】
また一方、前記カップ作動機構３９，３９の伝動ケース３９ａ，３９ａは、植付駆動ケース３７，３７における第２出力軸の周りに上下に揺動自由に支持され、この伝動ケース３９ａ，３９ａに、前後方向に延びる支持フレーム８，８を取付け、この支持フレーム８，８の前端側に、平行リンク８０，８０を介して均平フレーム８１，８１を枢支し、該均平フレーム８１，８１に鎮圧輪８２，８２を転動自由に支持すると共に、支持フレーム８，８の後端部に、枢支軸８３，８３を介して覆土アーム８４，８４を回転自由に支持し、該覆土アーム８４，８４に左右に対向する一対の覆土輪８５，８５を転動自由に支持し、覆土アーム８４，８４の基端部と、前記平行リンク８０の一方とをロツド８６，８６で連結して、鎮圧輪８２，８２と覆土輪８５，８５とを連動して上下動させるようにする一方、支持フレーム８，８の後端部に、前記覆土アーム８４，８４から上方に向かって延びるアーム８７，８７に係合する植深レバー８８，８８と伝動杆８９，８９とを枢支し、植深レバー８８，８８の操作により鎮圧輪８２，８２と覆土輪８５，８５とを連動して同一方向に昇降させ植付カップ３４，３４に対する支持高さを調節するようにしている。
【００２６】
前記伝動杆８９，８９と各ユニットフレーム３０，３０との間には、苗植可能範囲内での植付カップ３４，３４の植深変化を検出する植深さセンサー９，９を設けている。この植深さセンサー９，９は、各ユニットフレーム３０，３０の横杆に上下に揺動自由に支持した作動体９０，９０と、この作動体９０，９０に対し上下側に配置し、苗植可能範囲内での植付カップ３４，３４の植深変化を検出する上げスイッチ９１，９１及び下げスイッチ９２，９２と、上げスイッチ９１，９１の上方側に配置され、植付カップ３４，３４の植深が苗植えの限度であることを検出する上端スイッチ（図示せず）とから成り、植深さセンサー９，９から出力する検出信号によりリンクバルブ（図示せず）を介して前記トップリンク１７を伸縮動作させ、前記各植付ユニット３，３を、ＰＴＯ横軸２５を中心に上下方向に揺動させ、苗の植付深さを変更できるようにしている。
【００２７】
また、前記ツールバー２０に摺動自由に支持した各摺動体２７，２７間に、両端部に間隔調節シャフト２８ａをもったスライドフレーム２８を左右方向に位置調節可能に取付けると共に、前記ツールバー２０の中央部に、油圧型スライドシリンダ２９を取付け、該シリンダ２９のピストンロッド２９ａを前記スライドフレーム２８に枢着すると共に、各摺動体２７，２７に一対の規制バー１００，１００を枢支し、これら規制バー１００，１００の上端部に設けたローラ１０１，１０１を、各リンクフレーム２２，２２の上端間に設けた前記ガイドレール２３に転動自由に係合させると共に、前記規制バー１００，１００と前記ヒッチ板３１，３１から立上がる立上片とを連動リンク１０２，１０２によって相対回動自由に連結し、更に、前記支持フレーム８，８にアーム１０３，１０３を介して畝の一側面に当接する畝センサー１０４，１０４とガイドローラ１０５，１０５とを取付け、各畝センサー１０４，１０４から出力する検出信号により電磁型スライドバルブ（図示せず）を介して前記スライドシリンダ２９を伸縮動作させ、各摺動体２７，２７を介して植付ユニット３，３を同時に左右の同一方向にオフセット位置調節できるようにしている。
【００２８】
また、前記機体１には、前記リフトアーム１５の昇降動作を検出するリフトセンサー（図示せず）を設け、このリフトセンサーから出力する検出信号により前記リンクバルブ（図示せず）を介して前記トップリンク１７を短縮動作させ、前記各植付ユニット３，３を、ＰＴＯ横軸２５を中心に上方向に揺動させるようにしている。
【００２９】
図６において、１０６，１０６は各ユニットフレーム３０，３０の前部上方位置と機体１との間に張設したコイルバネ、１０７，１０７は各植付ユニット３，３の高さを調節するゲージ輪、１０８，１０８は前記鎮圧輪８２の前方側に位置して、植付カップ３４，３４の苗植付部に相当する位置の畝上面を切開するカッター、１０９，１０９はこのカツター１０８，１０８と前記鎮圧輪８２，８２との間に位置して前記カッターで切開した土壌を均平にする均平板である。
【００３０】
尚、以上説明した実施例では、縦送操作体７を縦送カム軸５０に設けたが、その他、前記伝動杆５８又はワンウエイクラッチ５２の外筒５２１にレバー形状に設けて、該縦送操作体７を操作することにより、ワンウエイクラッチ５２を介して前記搬送軸５３を回転させるようにしてもよいのであり、また、この縦送操作体７はレバー形状に限定されるものでない。
【００３１】
また、以上の実施例では、搬送軸５３の軸方向一端部に空転ノブ６０を一体回転可能で、かつ、軸方向に相対移動可能に支持すると共にワンウエイクラッチ５２の内筒５２０を搬送軸５３に遊嵌合したが、その他、前記空転ノブ６０の代りに操作ノブを搬送軸５３の一端部に固定すると共に、前記内筒５２０を搬送軸５３に固定し、更に前記ロック爪６２にロック解除レバーを設けて、縦送カム軸５０の回転を伝動杆５８及びワンウエイクラッチ５２を介して搬送軸５３に伝達し、また、苗載台３２に支持している苗トレイＴを抜き出す場合は、前記ロック解除レバーを操作して前記ロック爪６２の前記送り角度規定カム部５９ａとの係合を離脱させた状態で前記操作ノブにより搬送軸５３を回転させるように構成してもよい。
【００３２】
又、本発明の移植機は実施例で示したように多条植形である他、一条植形であってもよいし、また、トラクタに搭載する乗用タイプである他、歩行タイプであってもよい。
【００３３】
【発明の効果】
以上のごとく請求項１記載の発明によれば、苗トレイを苗載台にセットするとき、搬送軸の縦送カム軸との連動関係を断つことなく、一つの縦送操作体を操作するだけで、縦送カム軸を強制回転させることができると共にワンウエイクラッチを介して搬送軸を回転できるから、この搬送軸を回転させて苗トレイを苗載台にセットする作業を簡易にできる。
【図面の簡単な説明】
【図１】本発明移植機の縦送機構部分のみの一部省略断面図。
【図２】同縦送機構部分のみの背面図。
【図３】同植付ユニットの一部を省略した側面図。
【図４】同苗載せ台部分のみの背面図。
【図５】同植付ユニットの一部を省略した平面図。
【図６】同移植機の一部を省略した側面図。
【図７】同移植機における走行機体と植付ユニットとの連結部分の平面図。
【図８】同移植機の苗載台スライド機構部分のみの背面図。
【図９】同移植機のクラッチ操作部分のみの一部縦断側面図。
【図１０】図９の右側面図。
【図１１】同移植機の左右植え付けユニットの連結構造を示す説明図。
【符号の説明】
５０……縦送カム軸
５２……ワンウエイクラッチ
５３……搬送軸
５５……搬送チェン
７……縦送操作体
【図１】
0003595886.tif 000002
【図２】
0003595886.tif 000003
【図３】
0003595886.tif 000004
【図４】
0003595886.tif 000005
【図５】
0003595886.tif 000006
【図６】
0003595886.tif 000007
【図７】
0003595886.tif 000008
【図８】
0003595886.tif 000009
【図９】
0003595886.tif 000010
【図１０】
0003595886.tif 000011
【図１１】
0003595886.tif 000012